(57)【要約】【課題】    自立型のオーバースライドドアを提供する。【解決手段】    左右の支柱３、３と、上枠４と、ドアパネル５と、ドアパネル５の上端部を上枠４に平行に連結する上連結具６と、ドアパネル５の下部の左右両側端部に固定する下連結具７とを備え、下連結具７は左右の支柱３、３に設けたガイド部３１に係合してドアパネル５の下部を左右の支柱３、３に上下方向にスライド自在に連結しており、上連結具６は右側の略く字型アーム６１と、左側の略く字型アーム６３と、中間部の略く字型アーム６２と、捩れ防止部材６４とを備え、右側の略く字型アーム６１は屈曲部６１３を左方に突出し、左側の略く字型アーム６３は屈曲部６３３を右方に突出し、中間部の略く字型アーム６２は屈曲部６２３を左右いずれか一方側に突出し、捩れ防止部材６４は隣接する二つの略く字型アーム６１、６２の屈曲部６１３、６２３間を連結しており、上枠４は折り畳んだ上連結具６を収納する。【選択図】        図１
2005076242.tif 000002
【特許請求の範囲】
【請求項１】
左右の支柱と支柱間に架設する上枠とで開口部を形成する支持枠と、上端部を前後にスライドするとともに下部を上下にスライドして開口部を開閉するドアパネルと、ドアパネルを支持枠に連結する上連結具及び下連結具とを備え、下連結具は左右の支柱に設けたガイド部に係合してドアパネルの下部を左右の支柱に上下方向にスライド自在に連結しており、上連結具はドアパネルの右側上端部を上枠の右側端部後方に連結する右側の略く字型アームと、ドアパネルの左側上端部を上枠の左側端部後方に連結する左側の略く字型アームと、ドアパネルの中間上端部を上枠の中間部後方に連結する中間部の略く字型アームと、捩れ防止部材とを備え、各略く字型アームは前端部を水平方向に回動自在に上枠に連結するとともに、略く字の屈曲部を水平方向に折り畳み自在としてあり、右側の略く字型アームは屈曲部を左方に突出し、左側の略く字型アームは屈曲部を右方に突出し、中間部の略く字型アームは屈曲部を左右いずれか一方側に突出し、捩れ防止部材は屈曲部が同方向に突出して隣接する二つの略く字型アームの屈曲部間を連結しており、上枠は折り畳んだ上連結具を収納することを特徴とするオーバースライドドア。
【発明の詳細な説明】
【技術分野】
【０００１】
本発明は、例えば車庫のゲートなどとして用いられる自立型のオーバースライドドアに関するものである。
【背景技術】
【０００２】
従来、知られているオーバースライドドアに類する構造体として、例えば特許文献１では閉鎖体（室内躯体側）の天井にガイドレールを取り付けてパネル体を天井側に引き込むことによって開く構造が開示されており、或いは特許文献２ではドアパネルの下端部にバランスウェイトを取り付けてドアパネルの開閉を軽くするとともに、ドアパネルの上端部を天井レールに引き込むことによってドアパネルを開く構造が開示されている。
【０００３】
【特許文献１】特開平７−３１０４７２号公報
【特許文献２】特開２０００−１９９３７０号公報
【発明の開示】
【発明が解決しようとする課題】
【０００４】
ところが、上記した従来のオーバースライドドアにおいて、例えば特許文献１の方法では、パネルを開いたときに天井レールがパネルの重量を支えねばならないので設置場所の躯体強度や十分な設置スペースが確保できる場所でないと設置できないという問題があり、或いは、特許文献２の方法ではドアパネルを閉じた状態でもパネルを開いたときに受け皿としての天井レールが取り付けられているので、例えば屋外に設置した車庫のゲートとして利用するには外観上の問題があるのでこのような用途には使えないといった問題点があり、これらの問題を解決することが従来の課題となっていた。
【課題を解決するための手段】
【０００５】
請求項１に記載の発明は、左右の支柱と支柱間に架設する上枠とで開口部を形成する支持枠と、上端部を前後にスライドするとともに下部を上下にスライドして開口部を開閉するドアパネルと、ドアパネルを支持枠に連結する上連結具及び下連結具とを備え、下連結具は左右の支柱に設けたガイド部に係合してドアパネルの下部を左右の支柱に上下方向にスライド自在に連結しており、上連結具はドアパネルの右側上端部を上枠の右側端部後方に連結する右側の略く字型アームと、ドアパネルの左側上端部を上枠の左側端部後方に連結する左側の略く字型アームと、ドアパネルの中間上端部を上枠の中間部後方に連結する中間部の略く字型アームと、捩れ防止部材とを備え、各略く字型アームは前端部を水平方向に回動自在に上枠に連結するとともに、略く字の屈曲部を水平方向に折り畳み自在としてあり、右側の略く字型アームは屈曲部を左方に突出し、左側の略く字型アームは屈曲部を右方に突出し、中間部の略く字型アームは屈曲部を左右いずれか一方側に突出し、捩れ防止部材は屈曲部が同方向に突出して隣接する二つの略く字型アームの屈曲部間を連結しており、上枠は折り畳んだ上連結具を収納する構成を前述した従来の課題を解決するための手段としている。
【発明の効果】
【０００６】
本発明の請求項１に係わるオーバースライドドアは、ドアパネルの上端部を上連結具で前後にスライド自在に連結してあり、下連結具で左右の支柱に設けたガイド部に係合してドアパネルの下部を左右の支柱に上下にスライド自在に連結してあるものであり、上連結具はドアパネルの右側上端部を上枠の右側端部後方に連結する右側の略く字型アームと、ドアパネルの左側上端部を上枠の左側端部後方に連結する左側の略く字型アームと、ドアパネルの中間上端部を上枠の中間部後方に連結する中間部の略く字型アームと、捩れ防止部材とを備えており、各略く字型アームは前端部を水平方向に回動自在に上枠に連結するとともに、略く字の屈曲部を水平方向に折り畳み自在としてあり、捩れ防止部材は同方向に突出して隣接する二つの略く字型アームの屈曲部間を連結してあって、且つ、上枠は折り畳んだ上連結具を収納する構造であるから、上連結具は捩れ防止部材で屈曲部間を連結した隣接する二つの略く字型アームとドアパネルの上端部と捩れ防止部材と上枠とで屈伸自在な二つの平行四辺形を形成していることとなり、従ってドアパネルの上端部は上連結具によって常に上枠に平行に、且つ、スムーズに前後に移動することができるという効果が得られることとなる。また、下連結具は左右の支柱に設けたガイド部に係合してドアパネルの下部を左右の支柱にスライド自在に連結しているから、ドアパネルを開いたときにも閉じたときにもドアパネルの上端部は上連結具と上枠とを介して支柱に支持されており、且つ、ドアパネルの下部は支柱のガイド部に支持されているから、ドアパネルは支柱のみに支持されて自立していることとなる。即ち、天井レールのような補助的な支持のための工事が不要であり、且つ、躯体構造などによる設置場所の制約を受けることなく設置することができるという大きな効果が得られる。また、ドアパネルを閉じたときには上連結具は折り畳んで上枠内に収納されていることとなるので外部からは隠れて見えなくなり、したがって外観が良くなるので例えば屋外に設置した車庫のゲートとして利用することも可能となるなど、取り付け位置周辺の躯体の構造や取り付け場所の制約を受けることなく任意の場所に設置可能な自立型のオーバースライドドアを提供することができるという格別の効果が得られることとなる。
【発明を実施するための最良の形態】
【０００７】
以下、本発明の第一実施形態のオーバースライドドア１について図１〜図４に基いて説明する。図１は本発明の第一実施形態のオーバースライドドア１についてその概略構造を説明するものであり、図１（ａ１）及び図１（ａ２）においてドアパネル５を閉じた状態の平面図及び側面図を表わし、図１（ｂ１）及び図１（ｂ２）において中間状態の平面図及び側面図を表わし、図１（ｃ１）及び図１（ｃ２）においてドアパネル５を開いた状態の平面図及び側面図を表わすことによって、平面図において上連結具６の動きを説明し、側面図においてドアパネル５、上連結具６及び下連結具７の動きを説明している。図２は図１（ｃ２）から図１（ａ２）に至る間のドアパネル５の動きをより細分化してその軌跡を説明している。図３（ａ）は図１（ａ１）の要部を拡大してドアパネル５を閉じたときに上連結具６が上枠４内に収納されている状態の詳細説明図であり、図３（ｂ）は捩れ防止部材６４を含まない部分における上枠４近辺の縦断面説明図、図３（ｃ）は捩れ防止部材６４を含んだ部分における上枠４近辺の縦断面説明図である。但し、上枠連結金具６２ａ及びドア上部連結金具６２ｄ等は図３（ｂ）の６１ａ、６１ｄ、等と同様に表われるものであるが図面が煩雑になるのでここでは省略した。図４（ａ）は図１（ｃ１）の要部を拡大してドアパネル５を開いたときの上連結具６の状態の詳細説明図であり、図４（ｂ）はその上部の側面説明図によってドアパネル５、上連結具６及び下連結具７の状態を説明するものである。
【０００８】
本発明の第一実施形態のオーバースライドドア１は図１及び図２に示すように、基礎部を地中に埋設して立設した左右の支柱３、３と、左右の支柱３、３間に架設した上枠４とで開口部を形成する支持枠２を支持体として開口部を開閉するドアパネル５を吊り下げ支持するものであり、ドアパネル５の上端部は上枠４の後方に取り付け固定して前後方向に伸縮自在に設けた上連結具６の後端部に取り付けたドア上部連結材６５の下部に前後方向に回動自在に連結してあり、ドアパネル５の下部の左右両側端部は左右の支柱３、３の各々開口部側に上下方向に設けたガイド部３１、３１にスライド自在に係合する下連結具７、７に前後方向に回動自在に連結してあって、ドアパネル５は上連結具６を伸ばして後端部に設けたドア上部連結材６５を支持枠２の後方に移動させるとともに、下連結具７、７をガイド部３１、３１に沿って上方に移動させることによって図２の軌跡図に示す軌跡に沿って、図１（ｃ２）の如く支持枠２の開口部を開いたり、逆方向に移動させることによって図１（ｂ２）の状態を経て図１（ａ２）の如く支持枠２の開口部を閉じたりすることができるものである。
【０００９】
上連結具６は図１及び図４に示すように右側の略く字型アーム６１と、中間部の略く字型アーム６２と、左側の略く字型アーム６３と、捩れ防止部材６４と、ドア上部連結材６５とを有しており、ドア上部連結材６５はドアパネル５の上端部を前後方向に回動自在に連結しており、各略く字型アーム６１、６２、６３は中間に屈曲部６１３、６２３、６３３を有し、屈曲部の前方の部材を前側リンク材６１１、６２１、６３１とし、屈曲部の後方の部材を後側リンク材６１２、６２２、６３２とし、前側リンク材６１１、６２１、６３１の前端部は上枠４に水平方向に回動自在に連結してあり、後側リンク材６１２、６２２、６３２の後端部はドア上部連結材６５に水平方向に回動自在に連結してあり、前側リンク材６１１、６２１、６３１と後側リンク材６１２、６２２、６３２とは同一長さ寸法としてある。右側の略く字型アーム６１と左側の略く字型アーム６３とは左右対称位置に配置してあり、捩れ防止部材６４は右側の略く字型アーム６１の屈曲部６１３と中間部の略く字型アーム６２の屈曲部６２３とを連結している。
各前側リンク材６１１、６２１、６３１の後端部には前側リンク材後側金具６１ｃ、６２ｃ、６３ｃをねじ止め固定してあり、各後側リンク材６１２、６２２、６３２の前端部には後側リンク材前側金具６１ｆ、６２ｆ、６３ｆをねじ止め固定してあり、前側リンク材後側金具６１ｃ、６２ｃ、６３ｃと後側リンク材前側金具６１ｆ、６２ｆ、６３ｆとは各々水平方向に回動自在に連結して屈曲部６１３、６２３、６３３を形成しており、即ち、前側リンク材６１１、６２１、６３１と後側リンク材６１２、６２２、６３２とは各々屈曲部６１３、６２３、６３３において水平方向に回動自在に連結してある。捩れ防止部材６４は右側端部に右側連結金具６４ａをねじ止め固定して右側連結金具６４ａを右側の略く字型アーム６１の屈曲部６１３に水平方向に回動自在に連結してあり、且つ、左側端部に左側連結金具６４ｂをねじ止め固定して左側連結金具６４ｂを中間部の略く字型アーム６２の屈曲部６２３に水平方向に回動自在に連結してあり、即ち、捩れ防止部材６４は右側の略く字型アーム６１と中間部の略く字型アーム６２の各屈曲部６１３、６２３間を水平方向に回動自在に連結しているものである。各略く字型アーム６１、６２、６３の各前側リンク材６１１、６２１、６３１と各後側リンク材６１２、６２２、６３２とは各々折り畳んで突き合わせたときの横断面形状が図３（ｂ）に示す如く内部に中空の空間を形成するように略コ字型の形材を対向して配置してあり、捩れ防止部材６４は中間部の略く字型アーム６２の前側リンク材６２１と後側リンク材６２２とを折り畳んで突き合わせたときに前側リンク材６２１と後側リンク材６２２とで形成される中空の空間内に収納可能なサイズの中空形材を使用している。ドア上部連結材６５はドアパネル５の上端部に沿ってドアパネル５の上部と略同一の長さに設けてあり、ドア上部連結材６５の左右両端部及び中間部にはドア上部側金具６１ｄ、６２ｄ、６３ｄをねじ止め固定し、後側リンク材６１２、６２２、６３２の後端部にはリンク材側金具６１ｅ、６２ｅ、６３ｅをねじ止め固定してあり、リンク材側金具６１ｅ、６２ｅ、６３ｅは各々ドア上部側金具６１ｄ、６２ｄ、６３ｄに水平方向に回動自在に固定してあり、即ち、後側リンク材６１２、６２２、６３２の後端部はドア上部連結材６５に水平方向に回動自在に固定してあり、また、ドア上部連結材６５の下方にはドアパネル５の上端部をドア上部連結金具６５ａで前後方向に回動自在に固定してある。右側の略く字型アーム６１と中間部の略く字型アーム６２との各前側リンク材６１１、６２１及び後側リンク材６１２、６２２は各々互いに平行となって、前側リンク材６１１、６２１と上枠４と捩れ防止部材６４とで屈伸自在な平行四辺形を形成し、後側リンク材６１２、６２２とドア上部連結材６５と捩れ防止部材６４とで屈伸自在な平行四辺形を形成していることとなる。
【００１０】
上枠４は図３及び図４に示す如く後方に開口した略コ字型の溝を有する中空部材を用いており、略コ字型の溝の側面にあたる下面形成部分は上面形成部分より短く設けてある。上枠４の略コ字型の溝の底面にあたる立ち上がり部の後方にはその左右両端部及び中間部の三ヶ所に上枠側金具６１ａ、６２ａ、６３ａがねじ止め固定してあり、右側の略く字型アーム６１の前側リンク材６１１、中間部の略く字型アーム６２の前側リンク材６２１及び左側の略く字型アーム６３の前側リンク材６３１の各前端側には各々リンク材側金具６１ｂ、６２ｂ、６３ｂがねじ止め固定してあり、リンク材側金具６１ｂ、６２ｂ、６３ｂは各々上枠側金具６１ａ、６２ａ、６３ａに水平方向に回動自在に連結してある。即ち、前側リンク材６１１、６２１、６３１はそれぞれ上枠４に水平方向に回動自在に固定してある。上記したように、前側リンク材６１１、６２１、６３１と後側リンク材６１２、６２２、６３２は各々同一長さに設けてあり、右側の略く字型アーム６１と左側の略く字型アーム６３とは左右対称位置に配置してあり、右側の略く字型アーム６１と中間部の略く字型アーム６２との各前側リンク材６１１、６２１及び後側リンク材６１２、６２２は各々互いに平行位置に配置して屈曲部６１３、６２３間を捩れ防止部材６４で連結してあるから、略く字型アーム６１、６２、６３を前後方向に伸縮したときには捩れ防止部材６４及びドア上部連結材６５は常時、上枠４と平行位置に配置してあることとなる。
【００１１】
図３及び図４においては左側の略く字型アーム６３は右側の略く字型アーム６１と対称形になるので表記を省略してある。図４に示したドアパネル５を開いた状態から図３に示したドアパネル５を閉じた状態に移行すると、図１（ａ１）及びこれを拡大した図３（ａ）に示すように各略く字型アーム６１、６２、６３の各前側リンク材６１１、６２１、６３１と各後側リンク材６１２、６２２、６３２とは各々折り畳まれて互いに平行に突き合わせている状態となり、このとき図３（ｂ）及び図３（ｃ）に縦断面図を示したように、略コ字状の各前側リンク材６１１、６２１、６３１と各後側リンク材６１２、６２２、６３２との突き合わせ部には中空部が形成されており、図３（ｃ）に示したように捩れ防止部材６４は中間部の略く字型アーム６２の前側リンク材６２１と後側リンク材６２２とで形成した中空部内に収納して一体化された形状となり、従ってドアパネル５を閉じたときには各略く字型アーム６１、６２、６３の各前側リンク材６１１、６２１、６３１と各後側リンク材６１２、６２２、６３２及び捩れ防止部材６４は折り畳まれて上枠４内に収納してあることとなる。
【００１２】
下連結具７はドアパネル５の下部左右の両側端部に取り付け固定してあり、左右の支柱３、３のドアパネル５を取り付ける側の側面には図３（ａ）及び図４（ａ）に示す如くガイド部３１、３１が上下方向に溝状に設けてあり、ドアパネル５に取り付けた下連結具７は支柱３側に突出するガイドローラー７１を有し、左右の下連結具７、７のガイドローラー７１、７１は支柱３、３のガイド部３１、３１に係合してガイド部３１、３１に沿って上下方向にスライド自在としてある。
【００１３】
以上、本発明の第一実施形態について詳細に説明してきたが上記した通り、本発明の第一実施形態のオーバースライドドア１は上連結具６が上枠４、即ち支持枠２にねじ止め固定されて略コ字状に設けた上枠４の略コ字内に収納自在、且つ、水平方向に引き出し自在としてあり、左右及び中間の三本の略く字型アーム６１、６２、６３を備えてそのうちの左右一方と中間の略く字型アーム６１、６２の屈曲部６１３、６２３間は捩れ防止部材６４で連結してあるから捩れ防止部材６４は常に上枠４と平行を保っており、且つ、上連結具６の後端部に固定したドア上部連結材６５の下部にドアパネル５の上端部が前後方向に回動自在に固定してあるから、ドアパネル５の上端部はオーバースライドドア１を開いたときにも閉じたときにも常に上枠４に対して平行位置を保っていることができるので、ドアパネル５を開閉するときに捩れたりすること無くスムーズな開閉が可能になるという効果を有しているものであり、且つ、ドアパネル５は上連結具６を介して支持枠２によって支持されているものであり、また、ドアパネル５の下部は下連結具７によって支柱３のガイド部３１に、即ち支持枠２に上下方向にスライド自在に連結してあるものであるから、第一実施形態のオーバースライドドア１は自立した支持枠２のみに支持されて開閉操作を行うことが可能であり、従って、天井や躯体等によって支持していた従来型のオーバースライドドアと異なり、躯体等への取り付け工事が不要であり、且つ、その用途を閉鎖型の車庫などに限らず屋外のオープンスペースの境界に設置した出入り口用ゲート等としても利用することができるという格別の効果が得られる。また、ドアパネル５を閉じたときには略く字型アーム６１、６２、６３の前側リンク材６１１、６２１、６３１、後側リンク材６１２、６２２、６３２及び捩れ防止部材６４は折り畳んで上枠４の内部に収納されていることとなるので外部から略く字型アーム６１、６２、６３は隠れて見えなくなり、したがって外観が良くなるという大きな効果も得られ、外観が良くなるから更に上記したような用途が拡がるという効果もより大きくなるものである。
【００１４】
本発明は、上述した実施の形態に限らず、本発明の趣旨を逸脱しない範囲で種々の変更が可能である。例えば、ドアパネルの上部を上連結具の後端部に連結するのにドア上部連結材を介在させる構造を例示したが、ドア上部を後側リンク材の後端部に直接取り付けて前後方向に回動自在に固定するようにしてあっても良い。下連結具はガイドローラーを用いて支柱のガイド部に沿って移動する構造を例示したが、ガイドローラーでなく固定型のガイド部材を用いて支柱のガイド部に沿って移動する構造であっても良い。また、中間部の略く字型アームは１本に限定されるものでなく、特に幅広の門扉の場合、複数の中間部略く字型アームを有するものであっても良い。上記した第一実施形態では捩れ防止部材は右側の略く字型アームと中間部の略く字型アームとを連結するものとして例示したが、複数の中間部略く字型アームを設けてある場合は捩れ防止部材は同方向に屈曲部を有して隣接する複数の中間部略く字型アーム同士を連結するものであっても良い。
【図面の簡単な説明】
【００１５】
【図１】本発明の第一実施形態のオーバースライドドアの説明図であり、ａ１図及びａ２図はドアパネルを閉じた状態の平面図及び側面図を表わしており、ｂ１図及びｂ２図は中間状態の平面図及び側面図を表わしており、ｃ１図及びｃ２図はドアパネルを開いた状態の平面図及び側面図を表わしている。
【図２】本発明の第一実施形態のオーバースライドドアの開いた状態から閉じた状態に至るドアパネルの軌跡説明図である。
【図３】ａ図は本発明の第一実施形態のオーバースライドドアの閉じた状態である図１（ａ１）におけるＡ−Ａ部分拡大平面説明図であり、ｂ図はａ図のＣ−Ｃ部分断面図、ｃ図はａ図のＤ−Ｄ部分断面図である。
【図４】ａ図は本発明の第一実施形態のオーバースライドドアの開いた状態である図１（ｃ１）におけるＢ−Ｂ分拡大平面説明図であり、ｂ図はａ図の側面説明図である。
【符号の説明】
【００１６】
１      オーバースライドドア
２      支持枠
３      支柱
３１        ガイド部
４      上枠
５      ドアパネル
６      上連結具
６１、６２、６３        略く字型アーム
６１１、６２１、６３１  前側リンク材
６１２、６２２、６３２  後側リンク材
６１３、６２３、６３３  屈曲部
６４    捩れ防止部材
６５    ドア上部連結材
７      下連結具
【図１】
2005076242.tif 000003
【図２】
2005076242.tif 000004
【図３】
2005076242.tif 000005
【図４】
2005076242.tif 000006